(57)【要約】【課題】  水槽の形状に依存せず、設置位置の自由度の高い浮遊体流出防止部材、及びそのような浮遊体流出防止部材を備えた水処理装置を提供する。【解決手段】  浮遊体流出防止部材１を、円筒状に形成されたスクリーン部２と、スクリーン部２の一端部に設けられた蓋部３と、スクリーン部２の他端部に設けられたフランジ部４とから構成する。スクリーン部２は、ウエッジワイヤースクリーンからなるのが好ましい。この浮遊体流出防止部材１を、水処理装置の水槽内に設けた排水管の先端部に取り付ける。【選択図】  図１
2005279432.tif 000002
【特許請求の範囲】
【請求項１】
水槽内に浮遊体を存在させて水処理を行う水処理装置にて、前記浮遊体の流出を防止するために前記水処理装置の排水口に設けられる浮遊体流出防止部材であって、
処理水は通過するが前記浮遊体は通過しない大きさの開口部を有する略筒状のスクリーン部と、
前記スクリーン部の一端部に位置し、少なくとも前記浮遊体を通過させない蓋部と
を備えたことを特徴とする浮遊体流出防止部材。
【請求項２】
前記スクリーン部が、ウエッジワイヤースクリーンからなることを特徴とする請求項１に記載の浮遊体流出防止部材。
【請求項３】
水槽内に浮遊体を存在させて水処理を行う水処理装置であって、
前記水処理装置の排水口に、請求項１又は２に記載の浮遊体流出防止部材が設けられていることを特徴とする水処理装置。
【請求項４】
前記水槽が曝気槽であり、前記浮遊体流出防止部材の略筒状のスクリーン部の軸が散気方向に対して垂直になるように、前記浮遊体流出防止部材が設けられていることを特徴とする請求項３に記載の水処理装置。
【請求項５】
前記浮遊体流出防止部材は、前記水槽内に設けられた排水管の先端部に取り付けられていることを特徴とする請求項３又は４に記載の水処理装置。
【発明の詳細な説明】
【技術分野】
【０００１】
本発明は、微生物を担持させたスポンジ等の浮遊体を水槽内に存在させて水処理を行う水処理装置及びその水処理装置に使用される浮遊体流出防止部材に関する。
【背景技術】
【０００２】
従来より、活性汚泥処理装置として、曝気槽内にスポンジ等の浮遊性担体（充填材と称される場合もある。）を添加して当該浮遊性担体に微生物を付着させ、曝気槽内に供給される廃水をその微生物により処理するものが用いられている。処理水は、この活性汚泥処理装置から排出されて脱窒槽等に導入されるが、このとき浮遊性担体が排水とともに流出しないように、曝気槽の排水部に平板状等のスクリーンが設けられていた（特許文献１及び特許文献２参照）。
【特許文献１】実用新案登録第２６０４７４５号公報
【特許文献２】特開平６−３３５６９８号公報
【発明の開示】
【発明が解決しようとする課題】
【０００３】
しかしながら、上記のような従来の活性汚泥処理装置では、スクリーンは平板状であるので、曝気槽の壁部に取り付けざるを得ず、したがって、スクリーンの設置位置が限定されるとともに、曝気槽の壁面が曲面形状の場合には、取り付けが困難になるという問題があった。
【０００４】
また、上記従来の活性汚泥処理装置では、浮遊性担体の流出を防止するために、平板状のスクリーンを縦方向に又は傾斜させて設置しなければなかったが、そのような設置角度では、曝気槽での散気がスクリーンに対して垂直に当たらず、散気によるスクリーンの洗浄効率が低いという問題もあった。
【０００５】
本発明は、以上のような実状に鑑みてなされたものであり、水槽の形状に依存せず、設置位置の自由度の高い浮遊体流出防止部材、及びそのような浮遊体流出防止部材を備えた水処理装置を提供することを目的とする。
【課題を解決するための手段】
【０００６】
上記目的を達成するために、第１に本発明は、水槽内に浮遊体を存在させて水処理を行う水処理装置にて、前記浮遊体の流出を防止するために前記水処理装置の排水口に設けられる浮遊体流出防止部材であって、処理水は通過するが前記浮遊体は通過しない大きさの開口部を有する略筒状のスクリーン部と、前記スクリーン部の一端部に位置し、少なくとも前記浮遊体を通過させない蓋部とを備えたことを特徴とする浮遊体流出防止部材を提供する（請求項１）。
【０００７】
ここで、「水処理装置の排水口」は、水槽に設けられた排水口であってもよいし、別途設けられた部材、例えば配管の排水口であってもよい。また、「略筒状」には、円筒状、多角筒状の他、円錐状又は角錐状に近い形状も含まれるものとする。さらに、スクリーン部と蓋部とは別体のものであってもよいし、一体のものであってもよい。
【０００８】
上記発明（請求項１）においては、スクリーン部が略筒状に形成されているため、平板状のスクリーンと比較して狭いスペースで十分な表面積を確保することができ、小型の水処理装置にも対応しつつ、汚泥等による目詰まりを防止して水処理効率を良好に維持することができる。
【０００９】
また、上記浮遊体流出防止部材は、配管等を使用することにより又は使用することなく、水処理装置の水槽内にて所望の位置、所望の向きに設置することができ、水槽の壁面が曲面になっている場合であっても容易に設置可能である。特に、浮遊体流出防止部材を、略筒状のスクリーン部の軸が散気方向に対して垂直になるように曝気槽内に設置することもでき、その場合には、スクリーン部の洗浄効率が非常に高くなり、より優れた目詰まり防止効果が得られる。
【００１０】
上記発明（請求項１）においては、前記スクリーン部が、ウエッジワイヤースクリーンからなることが好ましい（請求項２）。ウエッジワイヤースクリーンによれば、より優れた目詰まり防止効果が得られる。ただし、本発明はこれに限定されるものではなく、スクリーン部は、例えば、金網、パンチングメタル等からなってもよい。
【００１１】
第２に本発明は、水槽内に浮遊体を存在させて水処理を行う水処理装置であって、前記水処理装置の排水口に、前記浮遊体流出防止部材（請求項１，２）が設けられていることを特徴とする水処理装置を提供する（請求項３）。
【００１２】
上記発明（請求項３）においては、水処理装置の排水口が水槽のいかなる位置に設けられていたとしても、浮遊体流出防止部材を設置することができ、また、水槽の壁面が曲面になっている場合であっても、浮遊体流出防止部材を容易に設置することができる。
【００１３】
上記発明（請求項３）において、前記水槽が曝気槽である場合には、前記浮遊体流出防止部材の略筒状のスクリーン部の軸が散気方向に対して垂直になるように、前記浮遊体流出防止部材が設けられていることが好ましい（請求項４）。このように浮遊体流出防止部材を設けることにより、浮遊体流出防止部材のスクリーン部の洗浄効率が非常に高くなり、優れた目詰まり防止効果が得られる。
【００１４】
上記発明（請求項３，４）において、前記浮遊体流出防止部材は、前記水槽内に設けられた排水管の先端部に取り付けられていてもよい（請求項５）。かかる発明によれば、浮遊体流出防止部材を水槽内にて所望の位置、所望の向きに設置することができる。
【発明の効果】
【００１５】
本発明の浮遊体流出防止部材は、水処理装置の水槽の形状に依存することなく、水槽内にて所望の位置に設置することが可能である。また、本発明の水処理装置においては、浮遊体流出防止部材を、水槽の形状に依存することなく、水槽内にて所望の位置に設置することが可能である。
【発明を実施するための最良の形態】
【００１６】
以下、本発明の一実施形態を図面に基づいて説明する。
〔浮遊体流出防止部材〕
図１は、本発明の一実施形態による浮遊体流出防止部材の斜視図である。
図１に示すように、本実施形態に係る浮遊体流出防止部材１は、円筒状に形成されたスクリーン部２と、スクリーン部２の一端部に設けられた円盤状の蓋部３と、スクリーン部２の他端部に設けられたフランジ部４とから構成される。
【００１７】
スクリーン部２は、リング状のウエッジワイヤー２１と、軸方向に延在し各ウエッジワイヤー２１をその内周面にて支持しているロッド２２とから構成されるウエッジワイヤースクリーンからなるものであり、ウエッジワイヤー２１は、スクリーン部２の内方に向かって細くなっている。
【００１８】
各ウエッジワイヤー２１（及び各ロッド２２）の間隙、すなわちウエッジワイヤースクリーンの開口部の大きさは、処理水は通過するが、スポンジ等の浮遊体は通過しないような大きさに設定し、好ましくはさらに被処理水中の汚泥の流出を防止することのできる大きさに設定する。
【００１９】
スクリーン部２の大きさ（径・長さ）は、当該スクリーン部２が設置される水処理装置の大きさや形状、あるいは水質、スポンジ等の浮遊体の大きさ等に応じて適宜決定すればよい。
【００２０】
本実施形態における蓋部３は、スクリーン部２の先端部を閉塞する円盤状のものであるが、この蓋部３は、スポンジ等の浮遊体が通過しない大きさの開口部を有する材料、例えばウエッジワイヤースクリーン、金網、パンチングメタル等からなるものであってもよい。蓋部３がこのような材料からなることにより、浮遊体流出防止部材１における開口面積を大きくし、スクリーン部２の目詰まりを低減させることができる。
【００２１】
本実施形態におけるフランジ部４には複数の孔４１が形成されており、この孔４１にボルト等を挿入することにより、浮遊体流出防止部材１を水槽の壁面や配管のフランジ部等に容易に取り付けることができ、また同様に容易に取り外すこともできる。
【００２２】
以上説明した浮遊体流出防止部材１においては、スクリーン部２を円筒状に形成することにより、平板状のスクリーンと比較して狭いスペースでスクリーン部２の表面積を十分に確保することができるため、小型の水処理装置にも対応しつつ、汚泥等による目詰まりを防止して水処理効率を良好に維持することができる。特に本実施形態におけるスクリーン部２は、ウエッジワイヤースクリーンによって形成されているため、より優れた目詰まり防止効果が得られる。
【００２３】
この浮遊体流出防止部材１は、配管等を使用することにより又は使用することなく、水処理装置の水槽内にて所望の位置、所望の向きに設置することができるが、特に、浮遊体流出防止部材１を、円筒状のスクリーン部２の軸が散気方向に対して垂直になるように曝気槽内に設置した場合には、スクリーン部２の洗浄効率が非常に高くなり、さらに優れた目詰まり防止効果が得られる。
【００２４】
〔水処理装置〕
次に、本発明の水処理装置の一例としての活性汚泥処理装置について説明するが、本発明の水処理装置は、活性汚泥処理装置に限定されるものではない。図２は、本発明の一実施形態による活性汚泥処理装置の概略断面図である。
【００２５】
図２に示すように、本実施形態に係る活性汚泥処理装置８は、廃水の活性汚泥処理が行われる曝気槽５と、曝気槽５内の下部に敷設された散気管６と、曝気槽５内の上部に設けられた排水管７と、排水管７の先端部に取り付けられた浮遊体流出防止部材１（一例として前述した浮遊体流出防止部材１）とを備えている。
【００２６】
本実施形態では、曝気槽５の排水口は、曝気槽５内に供給された廃水の水面近傍に設けられており、排水管７は、その曝気槽５の排水口に接続されて直線的に延びている。排水管７の先端部にはフランジ部が形成されており、排水管７のフランジ部と浮遊体流出防止部材１のフランジ部４とがボルト及びナットによって固定されることにより、排水管７と浮遊体流出防止部材１とは接続されている。
【００２７】
排水管７は、曝気槽５の壁面が曲面形状であっても配設が容易であり、したがって、浮遊体流出防止部材１は、曝気槽５の形状に依存することなく活性汚泥処理装置８に設けることができる。
【００２８】
また、例えば図３に示すように、曝気槽５の排水口が曝気槽５の中央部に設けられている場合であっても、排水管７を略Ｌ字状に形成することにより、浮遊体流出防止部材１を、曝気槽５内の廃水の水面近傍に設置することができる。すなわち、曝気槽５のいかなる位置に排水口が設けられていたとしても、排水管７の形状を適宜変更することにより、浮遊体流出防止部材１を所望の位置に設置することができる。
【００２９】
上記のような活性汚泥処理装置８においては、曝気槽５内に供給した廃水にスポンジ等の浮遊性担体Ｃを添加し、その浮遊性担体Ｃに微生物を付着させる。そして、散気管５から散気して曝気槽５内の廃水中に対流を生じさせ、浮遊性担体Ｃを対流に乗せて曝気槽５内を流動させることにより、浮遊性担体Ｃに付着した微生物の活性を高く維持しながら、その微生物によって廃水中の難分解性物質を効率良く分解処理する。
【００３０】
上記のようにして活性汚泥処理された処理水は、浮遊体流出防止部材１のスクリーン部２の開口部（網目）及び排水管７を通って曝気槽５外に排出されるが、浮遊体流出防止部材１が設けられていることにより、浮遊性担体Ｃが処理水とともに曝気槽５外に流出することは防止される。
【００３１】
本実施形態に係る活性汚泥処理装置８では、円筒状のスクリーン部２を備えた浮遊体流出防止部材１を使用しているため、小さいスペースで活性汚泥等による目詰まりを効果的に防止して、高い処理効率を得ることができる。特に、本実施形態では、浮遊体流出防止部材１は、円筒状のスクリーン部２の軸が散気方向に対して垂直になるように設けられているため、スクリーン部２の洗浄効率が非常に高くなり、目詰まりがより効果的に防止される。
【００３２】
以上説明した実施形態は、本発明の理解を容易にするために記載されたものであって、本発明を限定するために記載されたものではない。したがって、上記実施形態に開示された各要素は、本発明の技術的範囲に属するすべての設計変更や均等物をも含む趣旨である。
【００３３】
例えば、浮遊体流出防止部材１のスクリーン部２の形状は、円筒状に限定されるものではなく、四角筒状、六角筒状等の多角筒状であってもよいし、また、スクリーン部２と蓋部３とは一体的に形成されてもよい。さらに、スクリーン部２の内径を排水管７の外径に対応させて両者を嵌合可能とすることにより、フランジ部３を省略してもよい。
【００３４】
また、図４に示すように、活性汚泥処理装置８において、浮遊体流出防止部材１は、上記のような排水管７を介することなく、曝気槽５の排水口に直接取り付けられてもよい。
【産業上の利用可能性】
【００３５】
本発明の浮遊体流出防止部材及び水処理装置は、活性汚泥処理装置、流動床式生物処理装置等に好ましく用いることができ、特にそれらの装置を小型化する場合に好適である。
【図面の簡単な説明】
【００３６】
【図１】本発明の一実施形態による浮遊体流出防止部材の斜視図である。
【図２】本発明の一実施形態による活性汚泥処理装置の概略断面図である。
【図３】本発明の他の実施形態による活性汚泥処理装置の概略断面図である。
【図４】本発明の別の実施形態による活性汚泥処理装置の概略断面図である。
【符号の説明】
【００３７】
１…浮遊体流出防止部材
２…スクリーン部
３…蓋部
５…曝気槽（水槽）
７…排水管
８…活性汚泥処理装置（水処理装置）
【図１】
2005279432.tif 000003
【図２】
2005279432.tif 000004
【図３】
2005279432.tif 000005
【図４】
2005279432.tif 000006